(57)【要約】【課題】本発明の目的は、ヘルメットへの着脱が自在であるとともに、装着時における安定性を確保することが可能なヘルメット用耳当て具を提供する。【解決手段】ヘルメットに着脱可能に配設されるヘルメット用耳当て具１０であって、耳当て部１１ａと、この耳当て部１１ａからヘルメット２０側に延出しヘルメット２０の周縁部に係合する係合部１１ｂと、耳当て部１１ａの一部を被覆し、耳当て部１１ａとの間でヘルメットの顎紐２４を挟持する顎紐固定部１３とを備え、少なくとも一箇所でヘルメットのシェル内側面に固定されている。【選択図】　　　　図５
2004068201.tif 000002
【特許請求の範囲】
【請求項１】
ヘルメットに着脱可能に配設されるヘルメット用耳当て具であって、
耳当て部と、該耳当て部から前記ヘルメット側に延出し前記ヘルメットの周縁部に係合する係合部と、前記耳当て部の一部を被覆し前記耳当て部との間で前記ヘルメットの顎紐を挟持する顎紐固定部と、を備え、
少なくとも一箇所で前記ヘルメットのシェル内側面に固定されたことを特徴とするヘルメット用耳当て具。
【請求項２】
前記顎紐固定部は前記耳当て部の着用時における前側位置に取着された被覆片からなり、該被覆片は前記耳当て部前側を被覆して折り返し可能とされたことを特徴とする請求項１記載のヘルメット用耳当て具。
【請求項３】
前記被覆片には前記耳当て部へ着脱可能な面状ファスナが取着されたことを特徴とする請求項２記載のヘルメット用耳当て具。
【請求項４】
前記シェルに面状ファスナを介して固定されたことを特徴とする請求項１記載のヘルメット用耳当て具。
【請求項５】
前記係合部に沿って前記ヘルメット側に延出し、前記係合部との間で前記ヘルメットのヘッドバンドを挟持するヘッドバンド固定部が設けられたことを特徴とする請求項１記載のヘルメット用耳当て具。
【請求項６】
前記ヘッドバンド固定部には前記係合部または前記耳当て部に着脱可能な面状ファスナが取着されたことを特徴とする請求項５記載のヘルメット用耳当て具。
【請求項７】
シェルと、該シェルから左右一対に垂下する略Ｖ字状の吊紐部と、該吊紐部を連結する連結部とからなる顎紐を備えたヘルメットに着脱可能に配設されるヘルメット用耳当て具であって、
耳当て部と、該耳当て部から前記ヘルメット側に延出し前記ヘルメットの周縁部に係合する係合部と、前記顎紐への係止部材とを備え、
前記係止部材は、前記顎紐が挿通される挿通孔と、前記連結部よりも前記シェル側で前記耳当て部を挟持して互いに接着される固定片と、を備えてなることを特徴とするヘルメット用耳当て具。
【請求項８】
前記係合部には面状ファスナが設けられ、該面状ファスナを介して前記シェル内側面に固定されたことを特徴とする請求項７記載のヘルメット用耳当て具。
【請求項９】
シェルと、該シェルから左右一対に垂下する略Ｖ字状の吊紐部と、該吊紐部を連結する連結部とからなる顎紐を備えたヘルメットに着脱可能に配設されるヘルメット用耳当て具であって、
耳当て部と、該耳当て部から前記ヘルメット側に延出し前記ヘルメットの周縁部に係合する係合部と、前記顎紐の挿通部とを備え、
前記係止部には面状ファスナが設けられ、該面状ファスナを介して前記シェル内側面に固定されたことを特徴とするヘルメット用耳当て具。
【発明の詳細な説明】
【０００１】
【発明の属する技術分野】
本発明は、原動機付き自転車及び自動二輪用、自転車用、スキー，スノーボード等の運動用、保安用、乗船用、学童用等の一般的なヘルメットに装着される耳当て具に係り、特にヘルメットへの着脱が可能なヘルメット用耳当て具に関する。
【０００２】
【従来の技術】
従来より、防寒用の耳当て具を備えたヘルメットが知られている。
ヘルメットの耳当て具として、例えば図１２に示すように、顎掛け紐１０１に取り付けて使用される構成のものがある。
【０００３】
図１２に示す耳当て具は、円盤状の基体１０２と、保持枠１０３に配設された保温シート１０４と、椀状のキャップ体１０５とから構成され、これら基体１０２，保持枠１０３，キャップ体１０５を組み付けてなる耳覆い本体を、顎掛け紐１０１に着脱自在に取り付けることができるように構成されている。
【０００４】
【発明が解決しようとする課題】
【０００５】
しかし、上記構成の耳当て具は、顎掛け紐１０１のみに装着されている構成であるため、顎掛け紐１０１の位置をずらしたときに一緒にずれてしまうという不都合があった。
【０００６】
また、作業の合間に休憩するときや、降車時などにおいて、ヘルメットはかぶったままであるが顎掛け紐１０１をゆるめたときに、耳覆い本体が顎掛け紐１０１とともに動きやすくなり、顔の回りでぶらついて邪魔になるという不都合があった。
【０００７】
また、耳当て具を取り外したとき、各構成部材が別体となるため、部品をなくさないように気を付ける必要があり、また、保温シート１０４を洗濯する場合は保持枠１０３から外す必要があり、メンテナンスに手間がかかるという問題があった。
【０００８】
或いは、図１３に示すように、ヘルメット１１０の下縁内側部分に、ファスナやホック等の着脱手段１２０を介して、ヘルメット１１０に耳当て具１３０を着脱可能にしたものがある。
【０００９】
しかし、上記耳当て具１３０は、ヘルメット１１０の下縁部においてのみ固定されているため、下方から力がかかったときに外れやすく、装着時の十分な安定性を確保することができなかった。
【００１０】
本発明の目的は、ヘルメットへの着脱が自在であるとともに、装着時における安定性を確保することが可能なヘルメット用耳当て具を提供することにある。
【００１１】
本発明の他の目的は、保温性が十分に確保されたヘルメット用耳当て具を提供することにある。
【００１２】
【課題を解決するための手段】
上記課題は、本発明のヘルメット用耳当て具によれば、ヘルメットに着脱可能に配設されるヘルメット用耳当て具であって、耳当て部と、該耳当て部から前記ヘルメット側に延出し前記ヘルメットの周縁部に係合する係合部と、前記耳当て部の一部を被覆し前記耳当て部との間で前記ヘルメットの顎紐を挟持する顎紐固定部と、を備え、少なくとも一箇所で前記ヘルメットのシェル内側面に固定された構成とすることにより解決される。
【００１３】
すなわち、本発明のヘルメット用耳当て具は、顎紐固定部によって顎紐に固定されるとともに、少なくとも一箇所でヘルメットのシェル内側面に固定されており、複数箇所でヘルメットと耳当て具とが連結されているので、着用時における安定性を確保することが可能となる。
【００１４】
そして、耳当て具が安定して着用者の顔にフィットすることにより、耳当て具を介して着用者の頭にヘルメットが保持され、ヘルメット装着時におけるシェルの安定性も確保することが可能となる。
【００１５】
なお、前記顎紐固定部を、前記耳当て部の着用時における前側位置に取着された被覆片から形成し、該被覆片について、前記耳当て部前側を被覆して折り返し可能な構成としても良い。このような構成とすることにより、耳当て具を顎紐に固定するときに、同時に、耳当て具の前側の厚さが確保され、着用者の顔への密着性を高めて保温性を向上させることが可能となる。
【００１６】
前記被覆片には前記耳当て部へ着脱可能な面状ファスナが取着された構成とする。また、耳当て具を面状ファスナを介してシェルに固定した構成とする。これにより、耳当て具の固定または取り外しを簡単に行うことが可能となる。
【００１７】
このように、面状ファスナを利用して、耳当て具のヘルメットへの着脱を簡単にすることにより、耳当て具のメンテナンスを容易に行うことが可能となり、また、ヘルメットの着用者が変わる毎に耳当て具を交換することができる。さらに、その日の服装などに合わせて、服装に合った色彩やデザインの耳当て具を選択することも可能となる。
【００１８】
なお、本発明のヘルメット用耳当て具において、前記係合部に沿って前記ヘルメット側に延出し、前記係合部との間で前記ヘルメットのヘッドバンドを挟持するヘッドバンド固定部が設けられた構成としても良い。これにより、耳当て具を、顎紐、シェル、ヘッドバンドの３点で固定することができ、装着時におけるより高い安定性を得ることが可能となる。
【００１９】
なお、前記ヘッドバンド固定部に前記係合部または前記耳当て部へ着脱可能な面状ファスナが取着された構成とすることにより、ヘッドバンド固定部と係合部との間でヘッドバンドを挟持した後、ヘッドバンド固定部を、係合部または耳当て部において簡単に固定することができ好適である。
【００２０】
本発明の請求項７に係る耳当て具は、シェルと、該シェルから左右一対に垂下する略Ｖ字状の吊紐部と、該吊紐部を連結する連結部とからなる顎紐を備えたヘルメットに着脱可能に配設されるヘルメット用耳当て具であって、耳当て部と、該耳当て部から前記ヘルメット側に延出し前記ヘルメットの周縁部に係合する係合部と、前記顎紐への係止部材とを備え、前記係止部材は、前記顎紐が挿通される挿通孔と、前記連結部よりも前記シェル側で前記耳当て部を挟持して互いに接着される固定片と、を備えてなることを特徴とする。
【００２１】
なお、前記係合部に面状ファスナを設け、該面状ファスナを介して前記シェルに固定される構成としても良い。
【００２２】
本発明の請求項９に係る耳当て具は、シェルと、該シェルから左右一対に垂下する略Ｖ字状の吊紐部と、該吊紐部を連結する連結部とからなる顎紐を備えたヘルメットに着脱可能に配設されるヘルメット用耳当て具であって、耳当て部と、該耳当て部から前記ヘルメット側に延出し前記ヘルメットの周縁部に係合する係合部と、前記顎紐の挿通部とを備え、前記係止部には面状ファスナが設けられ、該面状ファスナを介して前記シェル内側面に固定されたことを特徴とする。
【００２３】
【発明の実施の形態】
以下、本発明の一実施の形態を図面に基づいて説明する。なお、以下に説明する部材，配置等は本発明を限定するものでなく、本発明の趣旨の範囲内で種々改変することができるものである。
【００２４】
図１乃至図５は本発明の一実施例を示すものであり、図１は本発明の耳当て具を備えたヘルメットの斜視図、図２はヘルメットを構成するハンモックの説明図、図３はヘルメットを構成するヘッドバンドの説明図、図４はヘルメットの顎紐を構成する吊紐部の説明図、図５は本発明の耳当て具の説明図である。
【００２５】
まず、本例の耳当て具１０が装着されるヘルメット２０について説明する。ヘルメット２０は、シェル２１と、シェル２１の内側に配設されたハンモック２２と、ヘッドバンド２３と、顎紐２４と、から構成されている。
【００２６】
なお、本実施例では衝撃吸収ライナーが図示されていないが、シェル２１の内側に、ポリスチレン発泡体等からなる衝撃吸収ライナーを設けた構成としても良い。
【００２７】
シェル２１は、ポリプロピレン（ＰＰ）、ＡＢＳ樹脂、ポリカーボネート（ＰＣ）、ポリエチレン（ＰＥ）、ポリアミド（ＰＡ）、ガラスファイバー強化ポリエステル樹脂等の硬質合成樹脂材からなる。
【００２８】
シェル２１は庇２１ａを備えている。庇２１ａはヘルメット２０の装着時に前方となる部分に位置している。庇２１ａは、直射日光が着用者の目に入るのを防止してまぶしさを抑えたり、降雨時にシェル２１に付着した雨水が着用者の顔面に垂れるのを防止するものである。
【００２９】
シェル２１の内側面には、ハンモック２２の取着部が形成されている。ハンモック２２は、着用者の頭頂部に弾性をもって接するように構成され、緩衝材として機能するとともに、ヘルメット２０の装着感を向上させるものである。
【００３０】
ハンモック２２は、図２に示すように、複数本の帯部材２２ａと、この帯部材２２ａに保持される緩衝部材２２ｂとから構成され、これら構成部材が略十字状に連結されて形成されている。
【００３１】
ハンモック２２は、シェル２１の内側面に形成された図示しない取着部に、帯部材２２ａの端部に設けられた取付片２２ｃを係合させることにより、シェル２１に固定される。帯部材２２ａをシェル２１に固定することにより、緩衝部材２２ｂはヘルメット内部の中空部に位置するように保持される。
【００３２】
ヘッドバンド２３は、シェル２１の下端部全周にわたって配設されている。ヘッドバンド２３は、シェル２１の周縁部の内側に、シェル２１と隙間を確保させた状態で装備されると共に、着用者の頭部を取り巻くように装着されて、ヘルメット２０を着用者の頭部に安定して固定するためのものである。
【００３３】
図３に示すように、ヘッドバンド２３には、取付片２３ａが設けられており、この取付片２３ａが、ハンモック２２の帯部材２２ａの取付片２２ｃに取着され、これによりシェル２１に固定されている。
【００３４】
ヘッドバンド２３は、着用者の頭部の大きさ（すなわち、ヘッドバンド装着部分の頭部の周囲長）に合わせて調整可能とされている。ヘッドバンド２３の調整機構としては従来公知の構成を使用する。
【００３５】
本例では、ヘッドバンド２３の後頭部側にオーバーラップ部を設け、このオーバーラップ部に互いに係合可能な孔２３ｃと突起２３ｂを設け、孔２３ｃと突起２３ｂの係合位置を変えることにより、ヘッドバンド２３の周長を調整するようにしている。
【００３６】
さらにヘッドバンド２３の前側には、合成皮革等からなるカバー２３ｄが配設されている。ヘッドバンド２３の前側は、着用者の額に位置するため、カバー２３ｄが配設されていることにより、よりソフトな装着感を得ることが可能となる。
【００３７】
顎紐２４は、ナイロンテープまたはポリエステルテープからなり、左右一対の吊紐部２４ａと、これら吊紐部２４ａを連結する連結部２４ｂとから構成されている。吊紐部２４ａは、紐の両端部がそれぞれシェル２１に固定され、略Ｖ字状にヘルメット２０の下方に垂下するように構成されている。
【００３８】
吊紐部２４ａの端部には、図４に示すような取付片２４ｃが設けられ、この取付片２４ｃが、ハンモック２２の帯部材２２ａの取付片２２ｃと、ヘッドバンド２３の取付片２３ａとの間に挟持されて、シェル２１に保持されている。
【００３９】
連結部２４ｂは、上記したように、左右一対の吊紐部２４ａを連結するものである。連結部２４ｂには、連結部２４ｂの長さを調整可能な長さ調整機構が設けられている。連結部２４ｂは、一方側が吊紐部２４ａから取り外し可能に構成されるか、または連結部２４ｂ自体が分割されるようになっており、連結部２４ｂにおいて顎紐２４の掛け外しが行われるように構成されている。
【００４０】
上記構成からなるヘルメット２０に、本例の耳当て具１０が着脱可能に配設される。本例の耳当て具１０は、芯材１１と、保温材１２と、ヘルメット２０への取付部材１３，１４，１５とから構成されている。耳当て具１０は、ヘルメット着用者の顔に接する部分が最も広い面積となるように、図５に示すように略三角形に形成されている。
【００４１】
芯材１１は、弾性を有すると共に適度な張りがあり、さらに風や水を通しにくい素材からなる。芯材１１の材料としては、例えばポリエチレン発泡体が使用される。
【００４２】
芯材１１は、保温材１２とともに耳当て本体を構成する耳当て部１１ａと、ヘルメット２０への係合部となる係合部１１ｂとを備えている。耳当て部１１ａには、孔１１ｃが設けられ、この孔１１ｃを介して着用者が外音を聞くことができるように構成されている。また、通気性を確保することができる。
【００４３】
係合部１１ｂは、ヘルメット２０のシェル２１と、ヘッドバンド２３との間に挿入可能な厚さになるように形成されている。また、係合部１１ｂにはスリット１１ｄが設けられ、ヘルメット２０の曲面に合わせて配設できるように構成されている。
【００４４】
保温材１２は、雨、雪等に対応するため、濡れても乾きの早い素材として、例えば、ナイロン，ポリエステル生地が使用される。また、寒気に対応するとともに好適な装着性とするため、パイル生地、フランネル、表面に起毛加工等を施した布地のように保温性に優れ、ある程度の通気性、伸縮性及びクッション性を有する布地から形成される。また、よりソフトな感触を出すために、裏面にポリプロピレン、ポリエチレン、ウレタン等の発泡シートを貼合したものを使用しても良い。
【００４５】
なお、保温材１２に外音を取り入れるための孔を設けた構成としても良い。このとき、保温材１２の孔を、芯材の孔に整合する位置に設けるようにすると良い。保温材１２は、一枚または複数枚を重ねて、芯材１１に縫い付けられる。
【００４６】
本例では、保温材１２は、芯材１１の係合部１１ｂの箇所を除いて、芯材１１の全面に貼着される。なお、保温材１２を芯材１１の一部に配設した構成としても良い。また、芯材１１の係合部１１ｂにも保温材１２を配設した構成としても良い。
【００４７】
なお、保温材１２を配設するとき、耳当て具１０の前方側において、所定の厚さを確保することにより、耳当て具１０の前方側で、着用者の顔との密着性を高めることができ、前方側から風が吹き付けてきたときなどに、耳当て具１０の中に、風が吹き込むのを防止することが可能となる。
【００４８】
耳当て具１０の前方側で所定の厚さを確保するため、例えば保温材１２を配設するとき、耳当て具１０の前方側で、芯材１１と保温材１２との間にクッション材を配設すると良い。或いは、耳当て具１０の前方側で保温材１２を折り畳んで縫い付けたり、耳当て具１０の前方側のみ複数枚の保温材１２を配設するようにすると良い。
【００４９】
本例の耳当て具１０は、ヘルメット２０への取付部材として、３つの取付部材１３，１４，１５を備えている。取付部材１３，１４，１５は、顎紐２４の吊紐部２４ａに取着される、顎紐固定部としての第１の取付部材１３と、ヘッドバンド２３に取着される、ヘッドバンド固定部としての第２の取付部材１４と、シェル２１の内壁に取着される第３の取付部材１５とから構成されている。
【００５０】
第１の取付部材１３は、耳当て具１０を顎紐２４に固定するための顎紐固定部であり、耳当て具１０の前方側に設けられている。第１の取付部材１３は、芯材１１に布片１３ａを縫い付けることにより形成されている。
【００５１】
布片１３ａは、耳当て具１０の前方側を外側から内側へ巻き込むようにして、吊紐部２４ａを包み込んで固定するものである。布片１３ａは、吊紐部２４ａを固定したときに、ヘルメット着用者の顔に接するようになるため、保温材１２と同様の素材が使用されると好適である。布片１３ａの自由端部側には係止手段が設けられている。本例では、係止手段として面状ファスナ１３ｂが使用されている。
【００５２】
第１の取付部材１３は、面状ファスナ１３ｂが芯材１１の裏側面に位置する保温材１２に接するように折り返され、面状ファスナ１３ｂが保温材１２に固着される。このようにして、耳当て具１０は吊紐部２４ａを巻き込みながら、吊紐部２４ａにおいて固定される。
【００５３】
なお、第１の取付部材１３は、耳当て具１０を吊紐部２４ａに固定する機能を有しているだけでなく、前方側からの風を防ぐ風よけとしても機能するものである。すなわち、第１の取付部材１３は、耳当て具１０の前方側を巻き込むようにして配設されるため、耳当て部１０の前方側を厚くすることができ、着用者の顔への密着性を高めて、冷風の侵入が防止される。
【００５４】
第２の取付部材１４は、耳当て具１０の係合部１１ｂ側において、芯材１１に布片１４ａを縫い付けることにより形成されている。布片１４ａには、上記第１の取付部材１３と同様に係止手段としての面状ファスナが取着されている。なお、本例では、布片１４ａの全面が面状ファスナとなっているものを使用している。
【００５５】
第２の取付部材１４は、芯材１１の裏面側へ折り返され、面状ファスナが保温材１２に固着されるように構成されている。このとき、第２の取付部材１４は、ヘッドバンド２３を巻き込みながら、保温材１２に固着される。このようにして、耳当て具１０はヘッドバンド２３において固定される。なお、第２の取付部材１４として、伸縮性を有するゴムバンドを使用しても良い。
【００５６】
第３の取付部材１５は、耳当て部１０の後方で、芯材１１上に設けられている。第３の取付部材１５は面状ファスナから構成され、ファスナ面が外側を向くようにして配設されている。
【００５７】
第３の取付部材１５は、ヘルメット２０のシェル２１内側に貼着された面状ファスナ２１ｂに係合し、耳当て具１０をシェル２１に固定するものである。ヘルメット２０のシェル２１内部に配設される面状ファスナ２１ｂとしては、粘着部を備え、シェル２１内部に、この粘着部を介して固定される構成のものを使用する。
【００５８】
なお、本例では、第３の取付部材１５が一箇所に設けられた構成を示したが、第３の取付部材１５を複数箇所に設けた構成としても良い。
【００５９】
以上のように、本例の耳当て具１０は、顎紐固定部としての第１の取付部材１３，ヘッドバンド固定部としての第２の取付部材１４，第３の取付部材１５を介して、３点でシェル２１に固定されるので、装着時の十分な安定性を確保することができ、使用時にぐらついたりすることなく、好適な使用感を提供することが可能である。
【００６０】
また、第１の取付部材１３，第２の取付部材１４は、それぞれ顎紐２４、ヘッドバンド２３に巻き付けた上、面状ファスナを保温材１２に押し付けるだけで固定動作が完了するものであり、第３の取付部材１５も、シェル２１に設けられた面状ファスナ２１ｂに係合させるだけで良いので、耳当て具１０の着脱を容易に行うことが可能である。
【００６１】
さらに、本例の耳当て具１０は、芯材１１に、保温材１２、第１の取付部材１３、第２の取付部材１４、第３の取付部材１５が縫製や接着により取着されているため、装着時及び取外時のいずれにおいても一体になっており、また、各構成部材が全て合成繊維等からなる布材から形成されているので、保管や洗濯が簡単であり、高い実用的効果を得ることができる。
【００６２】
なお、本例で説明したヘルメット２０は一例であり、耳当て具１０の第１の取付部材１３と係合される吊紐部２４ａと、第２の取付部材１４と係合されるヘッドバンド２３と、シェル２１内面に第３の取付部材１５に対応する面状ファスナ２１ｂを配設可能なヘルメット２０であれば、本例で説明した構成に限るものではない。
【００６３】
また、第１の取付部材１３、第２の取付部材１４について、係止手段として面状ファスナを使用する構成を示したが、第１の取付部材１３または第２の取付部材１４を保温材１２に固定できる構成であれば面状ファスナに限らず、例えば凹凸状や鈎状のホックであっても良い。
【００６４】
また、第２の取付部材１４について、ヘッドバンド２３に巻き付けて固定する構成としたが、シェル２１内側に衝撃吸収ライナが配設されている場合は、芯材１１の係合部１１ｂを、シェル２１と衝撃吸収ライナとの間に差し込んで固定する構成としても良い。この場合、芯材１１の係合部１１ｂと、シェル２１と衝撃吸収ライナとの間に、互いに固着可能な面状ファスナを配設し、第２の取付部材とした構成としても良い。
【００６５】
さらに、第３の取付部材１５について面状ファスナからなる構成を示したが、これに限らず、シェル２１側に凸部を設け、耳当て具１０側にこの凸部に係合可能な孔または凹部またはリング状部材を設け、凸部と孔または凹部またはリング状部材を係合させる構成としても良い。なお、シェル２１側が凹部、耳当て具１０側が凸部であっても良い。
【００６６】
図６乃至図９は他の構成の耳当て具を備えたヘルメットを示すものである。本実施例において上記実施例と同様部材には同一符号を付してその説明を省略する。
【００６７】
本例の耳当て具３０が装着されるヘルメット４０は、図６及び図８に示すように、スポーツ用のヘルメット４０であり、シェル４１と、シェル４１の内側に配設された衝撃吸収ライナ４２と、ヘッドパッド４３と、頭周部内装体４４と、顎紐４５と、から構成されている。
【００６８】
本例のヘルメット４０はスポーツ用であるため、シェル４１の上部に、通気孔４０ａが設けられている。この通気孔４０ａから、ヘルメット４０内にこもった熱気を逃すことができる。
【００６９】
衝撃吸収ライナ４２は、ポリスチレン（ＰＳ）発泡体、ポリプロピレン（ＰＰ）発泡体等からなり、シェル４１の天井部と、縁部とに形成されている。シェル４１の天井部に設けられる衝撃吸収ライナ４２について、十分な厚さを確保すると好適である。衝撃吸収ライナ４２は、シェル４１の天井部では、通気孔４０ａを避けて配設されている。
【００７０】
ヘッドパッド４３は、厚み３ｍｍ〜５ｍｍ程度の部材であり、シェル４１内部の天井部分を覆うようにして配設される。ヘッドパッド４３を配設することにより、さらに高い緩衝効果を得ることができるとともに、通気孔４０ａを被覆し、ヘルメット４０内部への埃の侵入等を防止することができる。
【００７１】
ヘッドパッド４３は、柔軟性，クッション材，通気性に優れた性能を備えて形成されている。本例では、図９に示すように、ポリエステルやナイロン繊維等を、例えばループ状にして弾性を持たせた緩衝材４３ａを、高強度で弾力性に富む蜂の巣状の網材４３ｂで挟んだサンドイッチ構造のものを使用している。
【００７２】
ヘッドパッド４３の素材としては、より具体的には、キュービックアイ（登録商標；ユニチカ株式会社製）、フュージョン１（登録商標；旭化成株式会社製）等を用いる。
【００７３】
例えば、上記フュージョン１（登録商標；旭化成株式会社製）については、目付７２０ｇ／ｍ、糸使い；表地：ポリエステル　１６７Ｔ／４８Ｆ、連結部：ナイロン　２００Ｔ×１Ｆ、裏地：ポリエステル　１６７Ｔ／４８Ｆのものを使用する。なお、Ｔはデシテックス（太さ）、Ｆはフィラメント（長繊維）である。
【００７４】
上記素材は、表地，裏地に合繊マルチフィラメントを使用し、連結部に合繊モノフィラメントがバランス良く使用されているため、耐衝撃性、対弾性回復性に優れ、また、ヘタリが生じにくく、耐久性に優れているという特徴を有している。
【００７５】
上記素材は、合繊モノフィラメントを使用した立体構造となっているため、内部に中空部が形成され、優れた通気性を有している。同時に通水性にも優れている。また、内部に空気が含まれた構造となっているので、空気の流れを止めることにより、暖かさを維持することも可能である。
【００７６】
頭周部内装体４４は、シェル４１の下端部全周にわたって、シェル４１に着脱可能に配設されている。頭周部内装体４４は、着用者の頭部を取り巻くように装着されて、ヘルメット４０を着用者の頭部に安定して固定するためのものである。
【００７７】
頭周部内装体４４は、着用者に不快感を与えることなく、着用者の頭部にフィットするように、通気性の良いメッシュシートに、ポリプロピレン、ポリエチレン、ウレタン等の発泡シートを貼着して形成されている。
【００７８】
頭周部内装体４４は、周囲に差込部４４ａを備え、この差込部４４ａを、シェル４１と衝撃吸収ライナ４２との間に差し込むことにより、シェル４１に固定されるように構成されている。
【００７９】
顎紐４５は、左右一対の吊紐部４５ａと、これら吊紐部４５ａを連結する連結部４５ｂとから構成されている。吊紐部４５ａは、紐の両端部がそれぞれシェル４１に固定され、略Ｖ字状にヘルメット４０の下方に垂下するように構成されている。
【００８０】
連結部４５ｂは、上記左右一対の吊紐部４５ａを連結するものである。連結部４５ｂには、連結部の長さを調整可能な長さ調整機構４５ｃが設けられている。連結部４５ｂは、端部４５ｄが吊紐部４５ａから取り外し可能とされ、バックル等により掛け外し可能に構成されている。
【００８１】
連結部４５ｂには、布製のカバー４５ｆが配設されている。連結部４５ｂにカバー４５ｆを被せることにより、ヘルメット４０を着用したときに、着用者の顎に顎紐４５が直接当たることなく、より快適な着用感を提供することができる。
【００８２】
上記構成からなるヘルメット４０に、本例の耳当て具３０が着脱可能に配設される。本例の耳当て具３０は、図７に示すように、芯材３１と、保温材３２と、ヘルメットへの取付部材３３，３４とから構成されている。
【００８３】
本例の耳当て具３０は、スポーツ用のヘルメット４０に適用されるものであるため、装着時になるべく着用者の顔にかからないように、第１の実施例の耳当て具１０よりも狭い面積で、着用者の耳を覆うように構成されている。
【００８４】
芯材３１は、ヘルメット４０への取付部材ともなるものであるため、適度な強度を備えており、さらに風や水を通しにくい素材からなる。芯材３１の材料としては、例えばポリエチレンまたはその発泡体が使用される。
【００８５】
芯材３１には、複数の孔が設けられている。これらの孔は、耳当て具３０をヘルメット４０に固定するための固定用孔３１ａと、着用者が外音を聞くためや、通気を行うための孔３１ｂとから構成されている。
【００８６】
また、芯材３１は、係合部３１ｃを備えている。係合部３１ｃは、ヘルメット４０のシェル４１と、衝撃吸収ライナ４２との間に挿入可能な厚さになるように形成されている。
【００８７】
係合部３１ｃは、上記したようにシェル４１と衝撃吸収ライナ４２との間に差し込まれるものであるため、係合部３１ｃがスムーズに差し込まれるように、また係合部３１ｃにヘタリが生じないように、係合部３１ｃに塩化ビニル製またはポリエチレン製のシートを貼着した構成とすると好適である。
【００８８】
保温材３２は、芯材３１の周囲を取り巻くように配設されている。保温材３２は、例えばポリプロピレン、ポリエチレン、ウレタン等の発泡体をメッシュシートで被覆することにより形成されている。本例の保温材３２は厚みと弾性を備えており、着用者の耳への高い密着性を有している。
【００８９】
顎紐４５の、吊紐部４５ａと連結部４５ｂとの接続箇所４５ｅには、図６に示すように、第２の取付部材としての係止部材３４が配設されている。係止部材３４は、両端部に互いに嵌合可能なホック３４ａが設けられており、中央部付近に、顎紐４５を通す挿通孔３４ｂが設けられている。係止部材３４としては、例えばポリ塩化ビニル樹脂や人工樹脂レザー等の成型品が用いられる。
【００９０】
係止部材３４は、図６に示すように、挿通孔３４ｂに顎紐４５が挿通されて、吊紐部４５ａと連結部４５ｂとの接続箇所４５ｅの付近に配設される。耳当て具３０は、係合部３１ｃがヘルメット４０のシェル４１と衝撃吸収ライナ４２との間に挿入されて、固定されて配設される。
【００９１】
さらに、耳当て具３０には、係止部材３４が配設され、係止部材３４により顎紐４５において固定される。すなわち、係止部材３４の挿通孔３４ｂに顎紐４５が挿通され、さらに、耳当て具３０の固定用孔３１ａにおいて、係止部材３４のホック３４ａが互いに嵌合される。このようにして、耳当て具３０が顎紐４５を介してヘルメット４０に固定される。
【００９２】
なお、上記耳当て具３０において、係合部３１ｃに面状ファスナ３３を配設した構成としても良い。面状ファスナ３３は、ヘルメット４０のシェル４１内側に貼着された面状ファスナ４１ｂに係合し、耳当て具３０がシェル４１に固定される。
【００９３】
また、上記のように、芯材３１の周囲に、クッション性を有する保温材３２を配設する構成の他、芯材３１をポリプロピレン発泡体から形成し、この芯材３１の全面に、パイル生地、フランネル、表面に起毛加工等を施した布地を貼着したものでも良い。
【００９４】
また、係止部材３４は、上記のように、耳当て具３０の固定用孔３１ａにおいて、ホック３１ａが嵌合されて固定される構成の他、面状ファスナが互いに固着される構成であっても良い。或いは、固定用孔３１ａを設けずに、芯材３１の両面に面状ファスナが固着して固定される構成であっても良い。この場合、芯材３１の両面は面状ファスナが固着可能な素材から形成されるか、或いは、芯材３１の表面に、係止部材３４の面状ファスナに対応する面状ファスナが配設された構成とする。
【００９５】
また、係止部材３４は、上記構成の他、係合及び分離可能な二つの部材からなる構成であっても良い。この場合は、耳当て具３０が係合部３１ｃにおいてシェル４１に固定された後、耳当て具３０と顎紐４５を挟むようにして、２枚の係止部材３４を貼合させて取り付けることにより、耳当て具３０を顎紐４５に固定することができる。
【００９６】
図１０及び図１１は、さらに別の態様の耳当て具を示すものである。図１０に示す耳当て具５０は、係止部材３４を用いることなく、ヘルメット４０の顎紐４５に固定されるように構成されている。
【００９７】
耳当て具５０は、係止部５３を備え、係止部５３に設けられた面状ファスナ５４が、ヘルメット４０のシェル４１に配設された面状ファスナ４１ｂに固着して固定される。耳当て具５０には、外音を聞くためや、通気を行うための孔５２が設けられている。
【００９８】
また、耳当て具５０は、スリット５１を備えており、このスリット５１に顎紐４５が挿通されるように構成されている。すなわち、耳当て具５０は、スリット５１に顎紐４５が挿通されることにより、顎紐４５において固定される。
【００９９】
本例の耳当て具５０は、上記のように、スリット５１に顎紐４５が挿通された構成とされているので、ヘルメット装着時には、耳当て具５０は顎紐４５により、表側及び裏側から押さえられ、安定性が確保される。
【０１００】
本例の場合、耳当て具５０は、顎紐４５に直接取付られるため、より着用者の耳への密着性を高めることができる。このため、耳当て具５０としては、前記実施例の耳当て具３０のように厚みと弾性を有する構成ではなく、合成皮革，発泡シート，布地の積層材を使用したより薄型の構成としても良い。
【０１０１】
また、本例ではスポーツ用のヘルメット４０に、図６または図１１に示すように耳当て具３０，５０を装着した構成を示したが、これに限らず、係止部材３４または耳当て具５０を装着可能な略Ｖ字状の吊紐部を備え、また必要であれば、シェル側に面状ファスナ等の係止部材を配設可能なヘルメットであれば、上記ヘルメットに限るものではない。
【０１０２】
なお、本発明とは異なるが、ヘルメットに着目すると、次のような態様が考えられる。すなわち、
アウターシェルと、該アウターシェルの内側に設けられた衝撃吸収ライナとを備えたヘルメットであって、
前記衝撃吸収ライナの内側に、高強度繊維からなる緩衝材を網材で挟持したヘッドパッドが配設されたことを特徴とするヘルメット。
【０１０３】
【発明の効果】
本発明に係るヘルメット用耳当て具によれば、ヘルメットへの着脱を容易に行うことができるとともに、ヘルメットに複数箇所で固定されるので、装着時の安定性を確保することが可能となる。
【０１０４】
また、耳当て具を顎紐に固定するための顎紐固定部が、耳当て部前側を被覆して折り返し可能に構成されているので、耳当て具を顎紐に固定するときに、同時に、耳当て具の前側を厚くすることができ、着用時の顔への密着性を高めて、保温性を確保することが可能となる。
【図面の簡単な説明】
【図１】本発明の耳当て具を備えたヘルメットの斜視図である。
【図２】ヘルメットを構成するハンモックの説明図である。
【図３】ヘルメットを構成するヘッドバンドの説明図である。
【図４】ヘルメットの顎紐を構成する吊紐部の説明図である。
【図５】本発明の耳当て具の説明図である。
【図６】他の実施例の耳当て具を示す説明図である。
【図７】他の実施例におけるヘルメット，耳当て具を示す説明図である。
【図８】他の実施例におけるヘルメットの分解説明図である。
【図９】ヘッドパッドの説明図である。
【図１０】さらに他の実施例の耳当て具を示す説明図である。
【図１１】図１０に示す耳当て具を備えたヘルメットの斜視図である。
【図１２】従来例を示す説明斜視図である。
【図１３】他の従来例を示す説明斜視図である。
【符号の説明】
１０　耳当て具
１１　芯材
１１ａ　耳当て部
１１ｂ　係合部
１１ｃ　孔
１１ｄ　スリット
１２　保温材
１３　第１の取付部材
１３ａ　布片
１３ｂ　面状ファスナ
１４　第２の取付部材
１４ａ　布片
１５　第３の取付部材
２０　ヘルメット
２１　シェル
２１ｂ　面状ファスナ
２２　ハンモック
２３　ヘッドバンド
２４　顎紐
２４ａ　吊紐部
２４ｂ　連結部
３０　耳当て具
３１　芯材
３１ａ　固定用孔
３１ｂ　孔
３１ｃ　係合部
３２　保温材
３３　面状ファスナ
３４　係止部材
３４ａ　ホック
３４ｂ　顎紐の挿通孔
４０　ヘルメット
４１　シェル
４１ｂ　面状ファスナ
４２　衝撃吸収ライナ
４３　ヘッドパッド
４４　頭周部内装体
４５　顎紐
４５ａ　吊紐部
４５ｂ　連結部
５０　耳当て具
５１　スリット
５２　孔
５３　係止部
５４　面状ファスナ
【図１】
2004068201.tif 000003
【図２】
2004068201.tif 000004
【図３】
2004068201.tif 000005
【図４】
2004068201.tif 000006
【図５】
2004068201.tif 000007
【図６】
2004068201.tif 000008
【図７】
2004068201.tif 000009
【図８】
2004068201.tif 000010
【図９】
2004068201.tif 000011
【図１０】
2004068201.tif 000012
【図１１】
2004068201.tif 000013
【図１２】
2004068201.tif 000014
【図１３】
2004068201.tif 000015